(57)【特許請求の範囲】
【請求項１】
過渡過電圧監視システム用のコンデンサ形計器用変圧器であって、
第１のコンデンサ、第２のコンデンサ、第３のコンデンサ、過渡過電圧監視ユニット、中間変圧器、接地ナイフスイッチ、補償リアクトル、及び第１の避雷器を備え、前記第１のコンデンサは、一端が送電網に接続され、他端が第２コンデンサの一端と中間変圧器における一次巻線の一端にそれぞれ接続され、前記第２のコンデンサの他端は過渡過電圧監視ユニットの一端と補償リアクトルの一端にそれぞれ接続され、前記中間変圧器における一次巻線の他端は補償リアクトルの他端と第１の避雷器の一端にそれぞれ接続され、前記過渡過電圧監視ユニットの他端と第１の避雷器の他端はいずれも接地し、前記接地ナイフスイッチは過渡過電圧監視ユニットの両端に並列接続され、前記第３のコンデンサは、一端が前記第２のコンデンサの他端に接続されて、他端が接地し、前記第１のコンデンサの耐えられる電圧が前記第２のコンデンサの耐えられる電圧より大きく、前記第２のコンデンサの耐えられる電圧が前記第３のコンデンサの耐えられる電圧より大きく、
前記補償リアクトルのリアクタンス値は、前記コンデンサ形計器用変圧器の等価容量の定格周波数での容量性リアクタンスと同じであるコンデンサ形計器用変圧器。
【請求項２】
過渡過電圧監視ユニットの両端に並列接続される第２の避雷器をさらに備える請求項１に記載のコンデンサ形計器用変圧器。
【請求項３】
前記補償リアクトルはリアクタンス値を調整可能な抵抗である請求項１に記載のコンデンサ形計器用変圧器。
【請求項４】
中間変圧器における二次巻線に設けられるダンパをさらに備える請求項１に記載のコンデンサ形計器用変圧器。
【請求項５】
過渡過電圧監視ユニットの両端に並列接続される保護隙間をさらに備える請求項１に記載のコンデンサ形計器用変圧器。
【発明の詳細な説明】
【技術分野】
【０００１】
本開示は電気工学分野に関し、たとえば過渡過電圧監視システム用のコンデンサ形計器用変圧器に関する。
【背景技術】
【０００２】
送電網過渡過程は送電網運転状態における重要な特徴であり、送電網における過渡過電圧（動作過電圧、直流送電システムによる一時的な過電圧、電圧不足）については、国内外においての有効な測定・監視手段が欠如している。新設装置において、中国では、５００ｋＶシステムの正式な運営前に、動作過電圧をテストする電力会社は一部しかない。一般的には、無負荷回線、主変圧器、低電圧リアクトル又はコンデンサをスイッチングする時に、過渡測定を、新装置の荷電評価として行う。
【０００３】
運転中の装置において、通常の保護及びオシログラフ装置は商用周波過電圧情報のみしか記録できず、システムの過渡過程を記録できない。スケジューリング部門に既に使用されている監視システム、インテリジェント監視・早期警報システム及び送電網広域リアルタイム動的監視システムは主に送電網全体の動的安定性と静的安定性から、送電網運転の特徴量をリアルタイムにモニタリングし、更に未来の時点での送電網の安定状態を予測するものであり、サンプリング周波数は高いが、一次信号がコンデンサ形計器用変圧器（ｃａｐａｃｉｔｏｒ  ｖｏｌｔａｇｅ  ｔｒａｎｓｆｏｒｍｅｒ、ＣＶＴ）の強磁性ユニットの後に収集されるため、高周波信号が大幅にゆがみ、システムにおける電圧の迅速な変化過程を本格的に示すことができず、電力システムの運転状態を全面的に監視することも実現できない。
【０００４】
過渡過電圧監視システム用のコンデンサ形計器用変圧器は、交流・直流ハイブリッド送電網とインテリジェント送電網の情報化による機能の要求を満たすことを目的とし、過電圧と絶縁の複合技術の発展に合致する新型電気装置である。
【発明の概要】
【発明が解決しようとする課題】
【０００５】
本開示は、動作周波数が高く、測定データの精度が高く、適用範囲が広い過渡過電圧監視システム用のコンデンサ形計器用変圧器を提供する。
【課題を解決するための手段】
【０００６】
本開示は、第１のコンデンサ、第２のコンデンサ、第３のコンデンサ、過渡過電圧監視ユニット、中間変圧器、接地ナイフスイッチ、補償リアクトル、及び第１の避雷器を備え、前記第１のコンデンサは、一端が送電網に接続され、他端が第２のコンデンサの一端と中間変圧器における一次巻線の一端にそれぞれ接続され、前記第２のコンデンサの他端は過渡過電圧監視ユニットの一端と補償リアクトルの一端にそれぞれ接続され、前記中間変圧器における一次巻線の他端は補償リアクトルの他端と第１の避雷器の一端にそれぞれ接続され、前記過渡過電圧監視ユニットの他端と第１の避雷器の他端はいずれも接地し、前記接地ナイフスイッチは過渡過電圧監視ユニットの両端に並列接続され、前記第３のコンデンサは、一端が前記第２のコンデンサの他端に接続されて、他端が接地し、前記第１のコンデンサの耐電圧が前記第２のコンデンサの耐電圧より大きく、前記第２のコンデンサの耐電圧が前記第３のコンデンサの耐電圧より大きい、過渡過電圧監視システム用のコンデンサ形計器用変圧器を提供する。
【０００７】
好ましくは、過渡過電圧監視ユニットの両端に並列接続される第２の避雷器をさらに備
える。
【０００８】
好ましくは、前記補償リアクトルはリアクタンス値を調整可能な抵抗である。
【０００９】
好ましくは、中間変圧器における二次巻線に設けられるダンパをさらに備える。
【００１０】
好ましくは、過渡過電圧監視ユニットの両端に並列接続される保護隙間をさらに備える。
【発明の効果】
【００１１】
関連技術に比べて、本開示に係る過渡過電圧監視システム用のコンデンサ形計器用変圧器には、以下の利点がある。
【００１２】
１）高動作周波数、測定データの高精度
通常のコンデンサ形計器用変圧器の、たとえば電圧計量及びリレー保護機能を有するとともに、高電圧及び超高電圧送電網における高調波を測定したり、送電網電圧波形をリアルタイムに観測して測定したりすることもできる。第１の避雷器と第２の避雷器を設置することによって、過電圧に起因する破損を防止し、過渡過電圧監視ユニットを保護することができ、過渡過電圧監視システムにおいて５００ｋＶ送電回線過電圧と結合するためのセンサとすることもできる。
【００１３】
２）高動作安定性
常設型室外装置の設計アイデアを用いるため、本開示で示されるＣＶＴは、一時的な施設や対策でなく、送電網において長期的に動作できる装置である。
【図面の簡単な説明】
【００１４】
【図１】図１は本実施例におけるコンデンサ形計器用変圧器の回路構造模式図である。
【図２Ａ】図２Ａは本実施例における第３のコンデンサＣ３の下部底板の構造模式図である。
【図２Ｂ】図２Ｂは本実施例における第３のコンデンサＣ３の上部底板の構造上面模式図である。
【図３】図３は本実施例における過渡過電圧監視システムの構造模式図である。
【発明を実施するための形態】
【００１５】
以下、図面と実施例を参照しながら本開示について説明する。衝突がない限り、以下の実施例と実施例における特徴は互いに組み合わせることができる。
【００１６】
図１に示すように、過渡過電圧監視システム用のコンデンサ形計器用変圧器２は、第１のコンデンサＣ１、第２のコンデンサＣ２、第３のコンデンサＣ３、中間変圧器Ｔ、過渡過電圧監視ユニットＭ、接地ナイフスイッチＫ、補償リアクトルＬ、ダンパＺＤ、保護隙間Ｐ、第１の避雷器ＢＬ１及び第２の避雷器ＢＬ２を備え、第１のコンデンサＣ１は、一端が送電網１に接続され、他端が第２のコンデンサＣ２の一端と中間変圧器Ｔにおける一次巻線の一端にそれぞれ接続され、第２のコンデンサＣ２の他端は過渡過電圧監視ユニットＭの一端と補償リアクトルＬの一端にそれぞれ接続され、中間変圧器Ｔにおける一次巻線の他端は補償リアクトルＬの他端と第１の避雷器ＢＬ１の一端にそれぞれ接続され、過渡過電圧監視ユニットＭの他端と第１の避雷器ＢＬ１の他端はいずれも接地し、接地ナイフスイッチＫ、保護隙間Ｐ及び第２避雷器ＢＬ２は過渡過電圧監視ユニットＭの両端にそれぞれ並列接続され、ダンパＺＤは中間変圧器Ｔにおける二次巻線に設けられ、Ｕ１は送電網１の電圧であり、補償リアクトルＬはリアクタンス値を調整可能な抵抗であってもよく、異なる二次負荷で一次電圧（第１のコンデンサＣ１に接続された高電圧端の電圧）と
二次電圧（第３のコンデンサＣ３の両端の電圧又は中間変圧器Ｔから出力された電圧）との間に正確な位相と変圧比を取得できるように、補償リアクトルＬのリアクタンス値はコンデンサ形計器用変圧器２の等価容量の定格周波数での容量性リアクタンスと同じである。校正しやすくするために、位相差及び変圧比は安定しているべきであり、電圧変化とともにドリフトすることがなく、位相差はゼロであるのが最適で、又は一定に保たれるのが良い。図１のうち、Ｎは第２のコンデンサＣ２の低電圧端、１ａ、１ｎ、２ａ、２ｎ、ｄａ１、ｄａ２、ｄａｎは中間変圧器Ｔの二次巻線の出力端子である。第２避雷器ＢＬ２、保護隙間Ｐ及びダンパＺＤは好ましいデバイスであり、コンデンサ形計器用変圧器２に存在しなくてもよい。
【００１７】
第１のコンデンサＣ１、第２のコンデンサＣ２及び第３のコンデンサＣ３が直列接続される場合、第１のコンデンサＣ１（高電圧アームとも呼称される）が高電圧端に接続され、第３のコンデンサＣ３（低電圧アームとも呼称される）が地面に接続される。本実施例のコンデンサ形計器用変圧器は異なる電圧等級の送電網に適用できるため、第１のコンデンサＣ１、第２のコンデンサＣ２及び第３のコンデンサＣ３の受ける電圧は同じでなく、一般的に、第１のコンデンサＣ１＞第２のコンデンサＣ２＞第３のコンデンサＣ３である。たとえば５００ｋＶ電圧等級システムでは、第１のコンデンサＣ１（高電圧アーム）が大部分の電圧降下を受け、第３のコンデンサＣ３（低電圧アーム）は約万分の１〜２の電圧だけを受け、３５ｋＶ電圧等級システムでは、低電圧アームが約千分の２〜３の電圧降下を受け、工学応用では、通常、第３のコンデンサＣ３の値を微調整することで、Ｃ３両端の最大動作電圧を約１００Ｖに安定化させる。
【００１８】
好ましくは、図２Ａと図２Ｂに示すように、第３のコンデンサＣ３は相互に並列接続され、すべて同軸円周構造として配列された複数の無誘導コンデンサ素子９からなる。過渡過電圧監視ユニットＭは第３のコンデンサＣ３に並列接続される。過渡過電圧監視ユニットＭの高電圧端がＣＶＴ内部の第２のコンデンサＣ２の低電圧端Ｎに直列接続され、第３のコンデンサＣ３の接地端子が銅シート又は銅帯により接地し、第３のコンデンサＣ３の測定端子が標準コネクタを用いて同軸ケーブルを介してＣ３両端の電圧信号をデジタル収集装置（すなわち過渡過電圧監視ユニットＭ）に送信する。
【００１９】
図３に示すように、本実施例は、電力システムの運転装置に発生した複数種の形式の過渡電圧（商用周波過電圧、操作過電圧及び雷過電圧等を含む）を監視する過渡過電圧監視システムを提供する。過渡過電圧監視システムは、コンデンサ形計器用変圧器２、保護器４、過渡電圧収集装置６及び産業用コンピュータ８を備え、コンデンサ形計器用変圧器２は送電網１の送電回線又はバスに接続され、伝送ケーブル３を介して保護器４に接続され、保護器４は通信光ケーブル５により過渡電圧収集装置６に接続され、過渡電圧収集装置６は通信ケーブル７により産業用コンピュータ８に接続される。過渡過電圧オンライン監視とは、分圧センサによって、信号収集技術を用い、送電網システムの電圧外乱をリアルタイムに監視し、過渡過電圧が発生した場合の各種の相電圧の振幅、故障前後の波形及び各種のパラメータを記録・記憶し、信号処理とパラメータ抽出、使用と分析（たとえば、警報、履歴データ問い合わせ及び統計等）の機能を有する。
【産業上の利用可能性】
【００２０】
本開示は、動作周波数が高く、測定データの精度が高く、適用範囲が広く、インテリジェント送電網の情報化と自動化の機能による要求を満たし、過電圧と絶縁の複合技術の発展による要求を満たすことができる過渡過電圧監視システム用のコンデンサ形計器用変圧器を提供する。
【符号の説明】
【００２１】
図中：１、送電網、２、コンデンサ形計器用変圧器、３、伝送ケーブル、４、保護器、
５、通信光ケーブル、６、過渡電圧収集装置、７、通信ケーブル、８、産業用コンピュータ、９、無誘導コンデンサ素子、Ｃ１、第１のコンデンサ、Ｃ２、第２のコンデンサ、Ｃ３、第３のコンデンサ、Ｍ、過渡過電圧監視ユニット、Ｔ、中間変圧器、Ｋ、接地ナイフスイッチ、Ｌ、補償リアクトル、ＺＤ、ダンパ、Ｐ、保護隙間、ＢＬ１、第１の避雷器、ＢＬ２、第２の避雷器。
【図１】
0006547217.tif 000002
【図２Ａ】
0006547217.tif 000003
【図２Ｂ】
0006547217.tif 000004
【図３】
0006547217.tif 000005